(57)【要約】【課題】インテグレータレンズの小型化を可能とする２灯式の照明装置及び投写型映像表示装置を提供する。【解決手段】投写型映像表示装置１００において、第１光源２Ａ及び第２光源２Ｂそれぞれの光出射側に設けられる反射部６は、光軸Ｐに対して４５度の傾きを有し、複数の第１光束ＬＡそれぞれを直角に反射する複数の第１ミラー４１Ａと、光軸Ｐに対して４５度の傾きを有し、複数の第２光束ＬＢそれぞれを直角に反射する複数の第２ミラー４１Ｂとを有する。複数の第１ミラー４１Ａと複数の第２ミラー４１Ｂとは、垂直方向において、交互に積み重ねられている。【選択図】図１
2010243881.tif 000002
【特許請求の範囲】
【請求項１】
光軸に沿って互いに対向する第１及び第２光源と、
前記第１光源の光出射側に配置され、前記第１光源から出射される光を複数の第１光束に収束させる第１シリンドリカルレンズ群と、
前記第２光源の光出射側に配置され、前記第２光源から出射される光を複数の第２光束に収束させる第２シリンドリカルレンズ群と、
前記第１シリンドリカルレンズ群と前記第２シリンドリカルレンズ群との間に配置される反射部と、
前記反射部の光出射側に配置され、前記複数の第１光束及び前記複数の第２光束を平行光化する第３シリンドリカルレンズ群とを備え、
前記反射部は、
前記光軸に対して４５度の傾きを有し、前記第１シリンドリカルレンズ群から出射される前記複数の第１光束を直角に反射する複数の第１ミラーと、
前記光軸に対して４５度の傾きを有し、前記第２シリンドリカルレンズ群から出射される前記複数の第２光束を直角に反射する複数の第２ミラーとを有し、
前記複数の第１ミラーと前記複数の第２ミラーとは、所定の方向において、交互に積み重ねられている
ことを特徴とする照明装置。
【請求項２】
前記複数の第１ミラーそれぞれは、前記反射部の光出射側からの平面視において、前記第２シリンドリカルレンズ群側に向かって徐々に細く形成され、
前記複数の第２ミラーそれぞれは、前記反射部の光出射側からの平面視において、前記第１シリンドリカルレンズ群側に向かって徐々に細く形成されている
ことを特徴とする請求項１に記載の照明装置。
【請求項３】
前記第１シリンドリカルレンズ群を構成する複数の第１シリンドリカルレンズと前記第２シリンドリカルレンズ群を構成する複数の第２シリンドリカルレンズとのそれぞれは、前記所定の方向において、所定の幅を有しており、
前記複数の第１シリンドリカルレンズ及び前記複数の第２シリンドリカルレンズそれぞれから出射される光の光軸は、前記所定の方向において、互いに前記所定の幅の１／２ずれている
ことを特徴とする請求項１又は２に記載の照明装置。
【請求項４】
前記複数の第１シリンドリカルレンズの個数と前記複数の第２シリンドリカルレンズの個数との和は、前記第３シリンドリカルレンズ群を構成する複数の第３シリンドリカルレンズの個数に等しく、
前記複数の第３シリンドリカルレンズそれぞれは、前記所定の方向において、前記所定の幅の１／２の幅を有する
ことを特徴とする請求項３に記載の照明装置。
【請求項５】
前記第１及び第２光源は、放電ランプであり、
前記第１及び第２光源それぞれは、アーク長が短くなるように加工されている
ことを特徴とする請求項１乃至４のいずれかに記載の照明装置。
【請求項６】
光軸に沿って互いに対向する第１及び第２光源と、
前記第１光源の光出射側に配置され、前記第１光源から出射される光を複数の第１光束に収束させる第１シリンドリカルレンズ群と、
前記第２光源の光出射側に配置され、前記第２光源から出射される光を複数の第２光束に収束させる第２シリンドリカルレンズ群と、
前記第１シリンドリカルレンズ群及び前記第２シリンドリカルレンズ群それぞれから出射される光を直角に反射する反射部と、
前記反射部の光出射側に配置され、前記第１光束及び前記第２光束を平行光化する第３シリンドリカルレンズ群と、
前記第３シリンドリカルレンズ群から出射される光を投写する投写光学系と
を備え、
前記反射部は、
前記第１光源の光軸に対して４５度の傾きを有し、前記複数の第１光束それぞれを直角に反射する複数の第１ミラーと、
前記第２光源の光軸に対して４５度の傾きを有し、前記複数の第２光束それぞれを直角に反射する複数の第２ミラーとを有し、
前記複数の第１ミラーと前記複数の第２ミラーとは、所定の方向において、交互に積み重ねられている
ことを特徴とする投写型映像表示装置。
【発明の詳細な説明】
【技術分野】
【０００１】
本発明は、２灯式の照明装置及び投写型映像表示装置に関する。
【背景技術】
【０００２】
従来、２つの光源それぞれから出射される光をスクリーンなどに投写する、いわゆる２灯式の投写型映像表示装置が知られている（例えば、特許文献１参照）。
【０００３】
２灯式の投写型映像表示装置は、光軸が直交するように配置された第１及び第２光源と、第１及び第２光源から出射された光を均一化するインテグレータレンズと、第１及び第２光源から出射された光をインテグレータレンズの光入射面全域に導く反射部とを備えている。インテグレータレンズの光入射側には、反射部と第１光源とが順次配置されており、反射部の側方には、第２光源が配置されている。
【０００４】
反射部は、第１及び第２光源それぞれから出射された光量の半分をインテグレータレンズの一半面に導く第１反射部と、第１及び第２光源それぞれから出射された光量の残り半分をインテグレータレンズの他半面に導く第２反射部とから構成される。
【先行技術文献】
【特許文献】
【０００５】
【特許文献１】特開２００６−１７１２５２号公報
【発明の概要】
【発明が解決しようとする課題】
【０００６】
しかしながら、インテグレータレンズの光入射面に第１及び第２反射部それぞれから光を入射させるためには、インテグレータレンズのサイズを大きくする必要があるため、以下のような問題が生じる。
【０００７】
第１には、インテグレータレンズのサイズに合わせて、インテグレータレンズの光出射側に配置される光学素子のサイズを大きくする必要がある。そのため、投写型映像表示装置の製造コストが増大するという問題が生じる。
【０００８】
第２には、インテグレータレンズのサイズがインテグレータレンズから出射された光を変調する光変調素子のサイズより大きくなるので、光変調素子への光入射角度が大きくなる。そのため、光利用効率の低下や映像のコントラストの低下という問題が生じる。
【０００９】
そこで、本発明は、上述した状況に鑑みてなされたものであり、インテグレータレンズの小型化を可能とする２灯式の照明装置及び投写型映像表示装置を提供することを目的とする。
【課題を解決するための手段】
【００１０】
本発明の特徴に係る照明装置は、光軸に沿って互いに対向する第１及び第２光源と、第１光源の光出射側に配置され、第１光源から出射される光を複数の第１光束に収束させる第１シリンドリカルレンズ群と、第２光源の光出射側に配置され、第２光源から出射される光を複数の第２光束に収束させる第２シリンドリカルレンズ群と、第１シリンドリカルレンズ群と第２シリンドリカルレンズ群との間に配置される反射部と、反射部の光出射側に配置され、複数の第１光束及び複数の第２光束を平行光化する第３シリンドリカルレンズ群とを備え、反射部は、光軸に対して４５度の傾きを有し、第１シリンドリカルレンズ群から出射される複数の第１光束を直角に反射する複数の第１ミラーと、光軸に対して４５度の傾きを有し、第２シリンドリカルレンズ群から出射される複数の第２光束を直角に反射する複数の第２ミラーとを有し、複数の第１ミラーと複数の第２ミラーとは、所定の方向において、交互に積み重ねられていることを要旨とする。
【００１１】
本発明の特徴に係る照明装置において、複数の第１ミラーそれぞれは、反射部の光出射側からの平面視において、第２シリンドリカルレンズ群側に向かって徐々に細く形成され、複数の第２ミラーそれぞれは、反射部の光出射側からの平面視において、第１シリンドリカルレンズ群側に向かって徐々に細く形成されていてもよい。
【００１２】
本発明の特徴に係る照明装置において、第１シリンドリカルレンズ群を構成する複数の第１シリンドリカルレンズと第２シリンドリカルレンズ群を構成する複数の第２シリンドリカルレンズとのそれぞれは、所定の方向において、所定の幅を有しており、複数の第１シリンドリカルレンズ及び複数の第２シリンドリカルレンズそれぞれから出射される光の光軸は、所定の方向において、互いに所定の幅の１／２ずれていてもよい。
【００１３】
本発明の特徴に係る照明装置において、複数の第１シリンドリカルレンズの個数と複数の第２シリンドリカルレンズの個数との和は、第３シリンドリカルレンズ群を構成する複数の第３シリンドリカルレンズの個数に等しく、複数の第３シリンドリカルレンズそれぞれは、所定の方向において、所定の幅の１／２の幅を有していてもよい。
【００１４】
本発明の特徴に係る照明装置において、第１及び第２光源は、放電ランプであり、第１及び第２光源は、アーク長を短くするように加工されていてもよい。
【００１５】
本発明の特徴に係る投写型映像表示装置は、光軸に沿って互いに対向する第１及び第２光源と、第１光源の光出射側に配置され、第１光源から出射される光を複数の第１光束に収束させる第１シリンドリカルレンズ群と、第２光源の光出射側に配置され、第２光源から出射される光を複数の第２光束に収束させる第２シリンドリカルレンズ群と、第１シリンドリカルレンズ群及び第２シリンドリカルレンズ群それぞれから出射される光を直角に反射する反射部と、反射部の光出射側に配置され、第１光束及び第２光束を平行光化する第３シリンドリカルレンズ群と、第３シリンドリカルレンズ群から出射される光を投写する投写光学系とを備え、反射部は、光軸に対して４５度の傾きを有し、複数の第１光束それぞれを直角に反射する複数の第１ミラーと、光軸に対して４５度の傾きを有し、複数の第２光束それぞれを直角に反射する複数の第２ミラーとを有し、複数の第１ミラーと複数の第２ミラーとは、所定の方向において、交互に積み重ねられていることを要旨とする。
【発明の効果】
【００１６】
本発明によれば、インテグレータレンズの小型化を可能とする２灯式の照明装置及び投写型映像表示装置を提供することができる。
【図面の簡単な説明】
【００１７】
【図１】投写型映像表示装置１００の構成を示す模式図である。
【図２】実施形態に係る一対のシリンドリカルレンズ群４及び反射部６の構成を示す斜視図である。
【図３】実施形態に係る一対のシリンドリカルレンズ群４及び反射部６を反射部６の光出射側から見た平面図である。
【図４】実施形態に係る複数の第１ミラー６１Ａ、複数の第２ミラー６１Ｂ及び第３シリンドリカルレンズ群８を第１シリンドリカルレンズ群４Ａ側から見た平面図である。
【発明を実施するための形態】
【００１８】
以下において、本発明の実施形態に係る投写型映像表示装置について、図面を参照しながら説明する。なお、以下の図面の記載において、同一又は類似の部分には、同一又は類似の符号を付している。
【００１９】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２０】
（投写型映像表示装置の構成）
以下において、実施形態に係る投写型映像表示装置１００の構成について、図面を参照しながら説明する。図１は、投写型映像表示装置１００の構成を示す模式図である。
【００２１】
図１に示すように、投写型映像表示装置１００は、一対の光源２（第１光源２Ａ,第２光源２Ｂ）と、一対のシリンドリカルレンズ群４（第１シリンドリカルレンズ群４Ａ，第２シリンドリカルレンズ群４Ｂ）と、反射部６と、第３シリンドリカルレンズ群８と、ＵＶ／ＩＲカットフィルタ１２と、インテグレータレンズユニット１４と、ＰＢＳアレイ１６と、光学素子２０と、クロスダイクロイックプリズム２７と、投写レンズユニット３０とを有する。
【００２２】
第１光源２Ａ及び第２光源２Ｂそれぞれは、白色光を出射するＵＨＰ（超高圧水銀ランプなど）などである。第１光源２Ａ及び第２光源２Ｂは、光軸方向において、互いに対向するように配置されている。第１光源２Ａは、光軸Ｐに沿って平行光束を出射する。第２光源２Ｂは、光軸Ｐに沿って平行光束を出射する。第１光源２Ａ及び第２光源２Ｂそれぞれから出射される光は、赤成分光、緑成分光及び青成分光を含む。
【００２３】
ここで、第１光源２Ａ及び第２光源２Ｂそれぞれにおいて、アーク長を短縮する加工がなされていることに留意すべきである。具体的には、第１光源２Ａ及び第２光源２Ｂそれぞれのアーク長は１ｍｍ以下であることが好ましい。
【００２４】
第１シリンドリカルレンズ群４Ａは、複数のシリンドリカルレンズによって構成される。第１シリンドリカルレンズ群４Ａは、第１光源２Ａの光出射側に配置される。第１シリンドリカルレンズ群４Ａは、第１光源２Ａから出射される光を収束させる。また、第２シリンドリカルレンズ群４Ｂは、複数のシリンドリカルレンズによって構成される。第２シリンドリカルレンズ群４Ｂは、第２光源２Ｂの光出射側に配置される。第２シリンドリカルレンズ群４Ｂは、第２光源２Ｂから出射される光を収束させる。第１シリンドリカルレンズ群４Ａ及び第２シリンドリカルレンズ群４Ｂの構成については後述する。
【００２５】
反射部６は、第１シリンドリカルレンズ群４Ａ及び第２シリンドリカルレンズ群４Ｂから出射される光を直角に反射する。具体的には、反射部６は、第１ミラー群６Ａと第２ミラー群６Ｂとによって構成される。第１ミラー群６Ａは、第１光源２Ａの光軸Ｐに対して４５度の傾きを有する。第１ミラー群６Ａは、第１シリンドリカルレンズ群４Ａから出射される複数の光束を直角に反射する。また、第２ミラー群６Ｂは、第２光源２Ｂの光軸Ｐに対して４５度の傾きを有する。第２ミラー群６Ｂは、第２シリンドリカルレンズ群４Ｂから出射される複数の光束を直角に反射する。反射部６の構成については後述する。
【００２６】
第３シリンドリカルレンズ群８は、反射部６の光出射側に配置される。第３シリンドリカルレンズ群８は、複数のシリンドリカルレンズによって構成される。第３シリンドリカルレンズ群８は、第１シリンドリカルレンズ群４Ａから出射される複数の光束と、第２シリンドリカルレンズ群４Ｂから出射される複数の光束とを平行光化する。
【００２７】
ＵＶ／ＩＲカットフィルタ１２は、可視光成分（赤成分光、緑成分光及び青成分光）を透過する一方、視外光成分（例えば、赤外成分光や紫外成分光）を遮光する。
【００２８】
インテグレータレンズユニット１４は、ＵＶ／ＩＲカットフィルタ１２から出射された光を均一化する。具体的には、インテグレータレンズユニット１４は、インテグレータレンズ１４ａ及びインテグレータレンズ１４ｂによって構成される。
【００２９】
インテグレータレンズ１４ａ及びインテグレータレンズ１４ｂは、それぞれ、複数の微少レンズによって構成される。複数の微少レンズそれぞれは、光源２が発する光が液晶パネル２１の全面に照射されるように、光源２から出射される光を導く。
【００３０】
ＰＢＳアレイ１６は、インテグレータレンズユニット１４から出射された光の偏光状態を揃える。例えば、ＰＢＳアレイ１６は、インテグレータレンズユニット１４から出射された光をＳ偏光に揃える。
【００３１】
また、投写型映像表示装置１００は、複数の液晶パネル２１（液晶パネル２１Ｒ、液晶パネル２１Ｇ、液晶パネル２１Ｂ）と、ミラー群（ダイクロイックミラー２００、ダイクロイックミラー２０１、反射ミラー２１０〜反射ミラー２１２）と、レンズ群（コンデンサレンズ２２０、コンデンサレンズ２３０Ｒ、コンデンサレンズ２３０Ｇ、コンデンサレンズ２３０Ｂ、リレーレンズ２４０〜リレーレンズ２４２）とを有する。
【００３２】
ダイクロイックミラー２００は、ＰＢＳアレイ１６から出射された光のうち、赤成分光を透過する。ダイクロイックミラー２００は、ＰＢＳアレイ１６から出射された光のうち、緑成分光及び青成分光を反射する。
【００３３】
ダイクロイックミラー２０１は、ダイクロイックミラー２００で反射された光のうち、青成分光を透過する。ダイクロイックミラー２０１は、ダイクロイックミラー２００で反射された光のうち、緑成分光を反射する。
【００３４】
反射ミラー２１０は、赤成分光を反射して赤成分光を液晶パネル２１Ｒ側に導く。反射ミラー２１１及び反射ミラー２１２は、青成分光を反射して青成分光を液晶パネル２１Ｂ側に導く。
【００３５】
コンデンサレンズ２２０は、光源２が発する白色光を集光するレンズである。
【００３６】
コンデンサレンズ２３０Ｒは、液晶パネル２１Ｒに赤成分光が照射されるように、赤成分光を略平行光化する。コンデンサレンズ２３０Ｇは、液晶パネル２１Ｇに緑成分光が照射されるように、緑成分光を略平行光化する。コンデンサレンズ２３０Ｂは、液晶パネル２１Ｂに青成分光が照射されるように、青成分光を略平行光化する。コンデンサレンズ２３０Ｂの光出射面側には、紫外成分を遮光するＵＶカットフィルタ４０が設けられる。
【００３７】
リレーレンズ２４０〜リレーレンズ２４２は、青成分光の拡大を抑制しながら、液晶パネル２１Ｂ上に青成分光を略結像する。
【００３８】
液晶パネル２１Ｒは、赤成分光の偏光方向を回転させることによって赤成分光を変調する光変調素子である。液晶パネル２１Ｒの光入射面側には、コントラスト比を向上させる補償板２２Ｒが設けられている。
【００３９】
補償板２２Ｒの光入射面側には、一の偏光方向（例えば、Ｓ偏光）を有する光を透過して、他の偏光方向（例えば、Ｐ偏光）を有する光を遮光する入射側偏光板２３Ｒが設けられている。入射側偏光板２３Ｒの光入射面側には、入射側偏光板２３Ｒに入射する光の光量や熱負担を軽減させる入射側プリ偏光板２４Ｒが設けられている。
【００４０】
一方、液晶パネル２１Ｒの光出射面側には、後述する出射側偏光板２６Ｒに入射する光の光量や熱負担を軽減させる出射側プリ偏光板２５Ｒが設けられている。出射側プリ偏光板２５Ｒの光出射面側には、一の偏光方向（例えば、Ｓ偏光）を有する光を遮光して、他の偏光方向（例えば、Ｐ偏光）を有する光を透過する出射側偏光板２６Ｒが設けられている。
【００４１】
同様に、液晶パネル２１Ｇは、緑成分光の偏光方向を回転させることによって緑成分光を変調する光変調素子である。液晶パネル２１Ｇの光入射面側には、補償板２２Ｇ、入射側偏光板２３Ｇ及び入射側プリ偏光板２４Ｇが設けられている。一方、液晶パネル２１Ｇの光出射面側には、出射側プリ偏光板２５Ｇ及び出射側偏光板２６Ｇが設けられている。
【００４２】
同様に、液晶パネル２１Ｂは、青成分光の偏光方向を回転させることによって青成分光を変調する光変調素子である。液晶パネル２１Ｂの光入射面側には、補償板２２Ｂ、入射側偏光板２３Ｂ及び入射側プリ偏光板２４Ｂが設けられている。一方、液晶パネル２１Ｂの光出射面側には、出射側プリ偏光板２５Ｂ及び出射側偏光板２６Ｂが設けられている。
【００４３】
クロスダイクロイックプリズム２７は、液晶パネル２１Ｒ、液晶パネル２１Ｇ及び液晶パネル２１Ｂから出射された光を合成する。クロスダイクロイックプリズム２７は、投写レンズユニット３０側に合成光を出射する。
【００４４】
投写レンズユニット３０は、クロスダイクロイックプリズム２７から出射された合成光をスクリーン上などに投写する。
【００４５】
なお、液晶パネル２１、補償板２２、入射側偏光板２３、入射側プリ偏光板２４、出射側プリ偏光板２５及び出射側偏光板２６は、本実施形態に係る光学素子２０を構成する。
【００４６】
（シリンドリカルレンズ群及び反射部の構成）
次に、一対のシリンドリカルレンズ群４と反射部６との構成について、図面を参照しながら説明する。図２は、一対のシリンドリカルレンズ群４及び反射部６の構成を示す斜視図である。図３は、一対のシリンドリカルレンズ群４及び反射部６を反射部６の光出射側（すなわち、第３シリンドリカルレンズ群８側）から見た平面図である。
【００４７】
図２に示すように、反射部６は、第１ミラー群６Ａと第２ミラー群６Ｂとによって構成される。第１ミラー群６Ａは、複数の第１ミラー６１Ａによって構成される。第２ミラー群６Ｂは、複数の第２ミラー６１Ｂによって構成される。複数の第１ミラー６１Ａと複数の第２ミラー６１Ｂとは、光軸方向に略直交する垂直方向において、交互に積み重ねられている。
【００４８】
なお、本実施形態において、複数の第１ミラー６１Ａ及び複数の第２ミラー６１Ｂそれぞれの枚数は、５枚である。
【００４９】
第１シリンドリカルレンズ群４Ａは、複数の第１シリンドリカルレンズ４１Ａによって構成される。複数の第１シリンドリカルレンズ４１Ａは、垂直方向に積み重ねられている。複数の第１シリンドリカルレンズ４１Ａそれぞれは、反射部６側に向かって凸状に張り出している。これによって、複数の第１シリンドリカルレンズ４１Ａそれぞれは、第１光源２Ａから出射される光を、複数の第１ミラー６１Ａそれぞれの形状に収束させる。
【００５０】
具体的には、図２に示すように、一の第１シリンドリカルレンズ４１Ａから出射された第１光束ＬＡは、収束しながら一の第１ミラー６１Ａの反射面に導かれる。一の第１ミラー６１Ａの反射面は、略２等辺三角形状に形成されるとともに、光軸Ｐに対して４５度の傾きを有する。従って、第１光束ＬＡは、反射面の底辺から頂点に向かうに従って、徐々に収束される。
【００５１】
第２シリンドリカルレンズ群４Ｂは、複数の第２シリンドリカルレンズ４１Ｂによって構成される。複数の第２シリンドリカルレンズ４１Ｂは、垂直方向に積み重ねられている。複数の第２シリンドリカルレンズ４１Ｂそれぞれは、反射部６側に向かって凸状に張り出している。これによって、複数の第２シリンドリカルレンズ４１Ｂそれぞれは、第２光源２Ｂから出射される光を、複数の第２ミラー６１Ｂそれぞれの形状に収束させる。
【００５２】
具体的には、図２に示すように、一の第２シリンドリカルレンズ４１Ｂから出射された第２光束ＬＢは、収束しながら一の第２ミラー６１Ｂの反射面に導かれる。一の第２ミラー６１Ｂの反射面は、略２等辺三角形状に形成されるとともに、光軸Ｐに対して４５度の傾きを有する。従って、第２光束ＬＢは、反射面の底辺から頂点に向かうに従って、徐々に収束される。
【００５３】
なお、本実施形態において、複数の第１シリンドリカルレンズ４１Ａ及び複数の第２シリンドリカルレンズ４１Ｂそれぞれの枚数は、５枚である。５枚の第１シリンドリカルレンズ４１Ａそれぞれは、５枚の第１ミラー６１Ａに光を出射する。５枚の第２シリンドリカルレンズ４１Ｂそれぞれは、５枚の第２ミラー６１Ｂに光を出射する。
【００５４】
図３に示すように、複数の第１ミラー６１Ａそれぞれは、第３シリンドリカルレンズ群８側からの平面視において、第２シリンドリカルレンズ群４Ｂ側に向かって徐々に細く形成されている。また、複数の第２ミラー６１Ｂそれぞれは、第３シリンドリカルレンズ群８側からの平面視において、第１シリンドリカルレンズ群４Ａ側に向かって徐々に細く形成されている。
【００５５】
このような複数の第１ミラー６１Ａと複数の第２ミラー６１Ｂとが垂直方向に積み重ねられることによって、図３に示すように、全体として１つの発光面ＬＳが形成される。発光面ＬＳは、第１光源２Ａ及び第２光源２Ｂそれぞれの出射面と略同じ大きさの四角形である。発光面ＬＳから出射された光は、第３シリンドリカルレンズ群８に導かれる。
【００５６】
また、各シリンドリカルレンズ４１Ａそれぞれは、垂直方向において、所定の幅αに形成されている。各シリンドリカルレンズ４１Ａは、光軸ＰＡに沿って第１光束ＬＡを出射する。同様に、各第２シリンドリカルレンズ４１Ｂは、垂直方向において、所定の幅αに形成されている。各第２シリンドリカルレンズ４１Ｂは、光軸ＰＢに沿って第２光束ＬＢを出射する。
【００５７】
ここで、第１光束ＬＡの光軸ＰＡは、垂直方向において、第２光束ＬＢの光軸ＰＢから所定の幅αの１／２ずれている。すなわち、本実施形態では、第１シリンドリカルレンズ群４Ａは、第２シリンドリカルレンズ群４Ｂよりもα／２上方に配置されている。
【００５８】
（光の進路）
次に、反射部６から第３シリンドリカルレンズ群８への光の進路について、図面を参照しながら説明する。図４は、複数の第１ミラー６１Ａ、複数の第２ミラー６１Ｂ及び第３シリンドリカルレンズ群８を第１シリンドリカルレンズ群４Ａ側から見た平面図である。
【００５９】
図４に示すように、複数の第１ミラー６１Ａそれぞれから出射された第１光束ＬＡは、発散しながら第３シリンドリカルレンズ群８に導かれる。同様に、複数の第２ミラー６１Ｂそれぞれから出射された第２光束ＬＢは、発散しながら第３シリンドリカルレンズ群８に導かれる。
【００６０】
ここで、第３シリンドリカルレンズ群８は、複数の第３シリンドリカルレンズ８１によって構成される。複数の第３シリンドリカルレンズ８１は、垂直方向に積み重ねられている。複数の第３シリンドリカルレンズ８１それぞれは、反射部６側に向かって凸状に張り出している。これによって、第３シリンドリカルレンズ群８は、複数の第１光束ＬＡ及び複数の第２光束ＬＢそれぞれを平行光化する。このように第３シリンドリカルレンズ群８は、第１光源２Ａ及び第２光源２Ｂそれぞれから出射された光を、垂直方向に積み重ねた状態で、インテグレータレンズ１４側に出射する。
【００６１】
なお、本実施形態において複数の第３シリンドリカルレンズ８１の枚数は、１０枚である。これは、複数の第１シリンドリカルレンズ４１Ａ及び複数の第２シリンドリカルレンズ４１Ｂそれぞれの枚数の和に等しい。
【００６２】
また、図４に示すように、複数の第３シリンドリカルレンズ８１それぞれは、垂直方向において、所定の幅αの１／２の幅に形成されている。すなわち、各第３シリンドリカルレンズ８１の幅は、各シリンドリカルレンズ４１Ａ及び各第２シリンドリカルレンズ４１Ｂそれぞれの所定の幅αの半分である。
【００６３】
（作用及び効果）
本実施形態において、第１光源２Ａ及び第２光源２Ｂそれぞれの光出射側に設けられる反射部６は、光軸Ｐに対して４５度の傾きを有し、複数の第１光束ＬＡそれぞれを直角に反射する複数の第１ミラー４１Ａと、光軸Ｐに対して４５度の傾きを有し、複数の第２光束ＬＢそれぞれを直角に反射する複数の第２ミラー４１Ｂとを有する。複数の第１ミラー４１Ａと複数の第２ミラー４１Ｂとは、垂直方向において、交互に積み重ねられている。
【００６４】
このように、反射部６は、第１光源２Ａ及び第２光源２Ｂから出射され、る光それぞれを分割して収束させながら反射することによって、発光面ＬＳを形成することができる。そのため、第１光源２Ａ及び第２光源２Ｂそれぞれから出射される光を、第１光源２Ａ及び第２光源２Ｂそれぞれの出射面と同等のサイズの発光面ＬＳに合成することができる。従って、インテグレータレンズ１４などのサイズを大きくする必要がない。
【００６５】
（その他の実施形態）
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００６６】
例えば、上述した実施形態では、複数の第１ミラー６１Ａ及び複数の第２ミラー６１Ｂそれぞれの枚数を５枚としたが、これに限られるものではない。複数の第１ミラー６１Ａ及び複数の第２ミラー６１Ｂそれぞれの枚数が多いほど、発光面ＬＳの形状を光源の出射面の形状に近づけることができる。
【００６７】
なお、複数の第１ミラー６１Ａ及び複数の第２ミラー６１Ｂそれぞれの枚数は、複数の第１シリンドリカルレンズ４１Ａ及び複数の第２シリンドリカルレンズ４１Ｂそれぞれの枚数と等しいことが好ましい。また、複数の第３シリンドリカルレンズ群８１の枚数は、複数の第１シリンドリカルレンズ４１Ａ及び複数の第２シリンドリカルレンズ４１Ｂそれぞれの枚数の和であることが好ましい。
【００６８】
また、上述した実施形態では、複数の第１ミラー６１Ａと複数の第２ミラー６１Ｂとは、互いに垂直方向において積み重ねられることとしたが、これに限られるものではない。例えば、複数の第１ミラー６１Ａと複数の第２ミラー６１Ｂとは、上記実施形態における光軸方向に積み重ねられていてもよい。この場合、第１光源２Ａと第２光源２Ｂとは、垂直方向において対向するように配置されればよい。
【００６９】
また、上述した実施形態では、複数の第１ミラー６１Ａと複数の第２ミラー６１Ｂそれぞれは、略２等辺三角形に形成されることとしたが、扇形や台形などのように組み合わせることによって四角形に近い形状になればよい。
【００７０】
この開示から当業者には様々な代替実施の形態、実施例及び運用技術が明らかとなろう。したがって、本発明の技術的範囲は、上述の説明から妥当な特許請求の範囲に係る発明特定事項によってのみ定められるものである。
【符号の説明】
【００７１】
２…光源、４…シリンドリカルレンズ群、６…反射部、８…第３シリンドリカルレンズ群、１２…ＵＶ／ＩＲカットフィルタ、１４…インテグレータレンズユニット、１６…ＰＢＳアレイ、２０…光学素子群、２１…液晶パネル、２２…補償板、２３…入射側偏光板、２４…入射側プリ偏光板、２５…出射側プリ偏光板、２６…出射側偏光板、２７…クロスダイクロイックプリズム、３０…投写レンズユニット、４０…ＵＶカットフィルタ、１００…投写型映像表示装置、２００、２０１…ダイクロイックミラー、２１０〜２１２…反射ミラー、２２０…コンデンサレンズ、２３０…コンデンサレンズ、２４０〜２４２…リレーレンズ、Ｐ…光軸、ＬＳ…発光面
【図１】
2010243881.tif 000003
【図２】
2010243881.tif 000004
【図３】
2010243881.tif 000005
【図４】
2010243881.tif 000006